(57)【特許請求の範囲】
【請求項１】
円柱状又は円筒状に形成された大径部分と小径部分とが軸方向に連なる端子と、前記端子を複数収容するハウジングと、を備えるコネクタにおいて、
前記ハウジングには、
当該ハウジングの一端から他端へと延在し、当該他端側の開口から前記大径部分を先にして前記端子が挿入される端子収容室を各々が４つ有し、互いに交差する二つの方向のうちの少なくとも一つの方向に配列された複数群の収容室群と、
４つの前記端子収容室に囲まれるように配置されたランス体と、が設けられ、
前記収容室群の４つの前記端子収容室のそれぞれが、互いに軸が平行でかつ軸方向から見たときに各軸が正方形又は長方形の４つの頂点に位置するように並べて配列され、
前記ランス体が、４つの前記端子収容室のそれぞれに対応して設けられ、前記端子収容室の長手方向に延在し前記ハウジングの一端側が自由端となるように形成された４つの可撓ランスを一体に有し、
４つの前記可撓ランスのそれぞれに、対応する前記端子収容室に収容された前記端子の前記大径部分と前記小径部分との段差に係止するように前記端子収容室の内部に突出する係止部が設けられるとともに、
４つの前記可撓ランスのそれぞれが、前記端子収容室への前記端子の挿抜時に前記自由端が前記正方形又は前記長方形の対角線方向に撓んで前記係止部が前記段差に係止又は係止解除するように当該対角線上に配置されていることを特徴とするコネクタ。
【請求項２】
円柱状又は円筒状に形成された大径部分と小径部分とが軸方向に連なる端子と、前記端子を複数収容するハウジングと、を備えるコネクタにおいて、
前記ハウジングには、
当該ハウジングの一端から他端へと延在し、当該他端側の開口から前記大径部分を先にして前記端子が挿入される端子収容室を４つ有する収容室群と、
４つの前記端子収容室に囲まれるように配置されたランス体と、が設けられ、
前記収容室群の４つの前記端子収容室のそれぞれが、互いに軸が平行でかつ軸方向から見たときに各軸が正方形又は長方形の４つの頂点に位置するように並べて配列され、
前記ランス体が、４つの前記端子収容室のそれぞれに対応して設けられ、前記端子収容室の長手方向に延在し前記ハウジングの一端側が自由端となるように形成された４つの可撓ランスを一体に有し、
４つの前記可撓ランスのそれぞれに、対応する前記端子収容室に収容された前記端子の前記大径部分と前記小径部分との段差に係止するように前記端子収容室の内部に突出する係止部が設けられるとともに、
４つの前記可撓ランスのそれぞれが、前記端子収容室への前記端子の挿抜時に前記自由端が前記正方形又は前記長方形の対角線方向に撓んで前記係止部が前記段差に係止又は係止解除するように当該対角線上に配置され、
前記収容室群が、複数群設けられており、
複数群の前記収容室群のうちの一の収容室群と他の収容室群とが一方向に間隔を開けて対向して配置され、
前記一の収容室群の端子収容室の軸と、前記他の収容室群の端子収容室の軸とが、前記一方向と直交する方向にズレていることを特徴とするコネクタ。
【請求項３】
前記可撓ランスの自由端が、前記段差よりも前記ハウジングの一端側へと延びて前記大径部分を前記対角線方向に支持することを特徴とする請求項１又は２に記載のコネクタ。
【発明の詳細な説明】
【技術分野】
【０００１】
本発明は、ワイヤハーネスの端末に設けられるコネクタに関するものである。
【背景技術】
【０００２】
移動体としての自動車には、多種多様な電子機器が搭載されている。これらの電子機器は、互いの間で電力や制御信号などを伝えるためにワイヤハーネスによって接続されている。ワイヤハーネスは、複数の電線が束ねられた電線束と、この電線束の端末に取り付けられるコネクタとを備えている（例えば、特許文献１参照。）。そして、コネクタの多くは、一端に相手方端子が嵌合し他端に電線が接続される端子と、その端子を複数収容するハウジングと、を備えた構造を有している。
【０００３】
図９に、一例としての従来のコネクタの構造を示す。図９に示されているコネクタ５００では、ハウジング５１０に設けられた筒状の端子収容室５１１に端子５２０が抜け止めされた状態で１つずつ収容されている。端子５２０の抜け止めは、ハウジング５１０に設けられた可撓ランス５１２によって行われる。可撓ランス５１２は、端子収容室５１１に隣接して端子収容室５１１の長手方向に延在し図中左側の一端が自由端となった可撓性の部材である。可撓ランス５１２の自由端側の一部は、端子収容室５１１内の端子５２０に係止して抜け止めとなるように端子収容室５１１の内部に突出する係止部５１２ａとなっている。端子収容室５１１に端子５２０を挿入する時や、一旦挿入された端子５２０を端子収容室５１１から抜き出す時には、可撓ランス５１２が端子収容室５１１の外側へと撓んで係止部５１２ａが端子５２０に係止又は係止解除するようになっている。また、端子収容室５１１内の端子５２０の先端は、ハウジング５１０に取り付けられるフロントホルダ５３０によって支持される。
【０００４】
ここで、図９に示されているコネクタ５００では、図中縦方向に配列された２つの端子収容室５１１のそれぞれに隣接して設けられた２つの可撓ランス５１２が、図中右側の端部側で一体に形成されている。そして、これら２つの可撓ランス５１２は、端子５２０の挿抜時には互いに近づく方向に撓む背合わせの位置関係となっている。このように２つの可撓ランス５１２を背合わせに形成することにより、２つの端子収容室５１１の間隔を縮めることができ、これによりコネクタ５００の小型化が図られている。
【先行技術文献】
【特許文献】
【０００５】
【特許文献１】特開２００４−２７３３７４号公報
【発明の概要】
【発明が解決しようとする課題】
【０００６】
しかしながら、近年では、ワイヤハーネスに使用されるコネクタについて一層の小型化が求められており、図９を参照して説明したような構造ではこのような求めに応じることが困難になりつつある。
【０００７】
従って、本発明は、上記のような問題点に着目し、一層の小型化を図ることができるコネクタを提供することを目的とする。
【課題を解決するための手段】
【０００８】
上記課題を解決するために、請求項１に記載の発明は、円柱状又は円筒状に形成された大径部分と小径部分とが軸方向に連なる端子と、前記端子を複数収容するハウジングと、を備えるコネクタにおいて、前記ハウジングには、当該ハウジングの一端から他端へと延在し、当該他端側の開口から前記大径部分を先にして前記端子が挿入される端子収容室を各々が４つ有し、互いに交差する二つの方向のうちの少なくとも一つの方向に配列された複数群の収容室群と、４つの前記端子収容室に囲まれるように配置されたランス体と、が設けられ、前記収容室群の４つの前記端子収容室のそれぞれが、互いに軸が平行でかつ軸方向から見たときに各軸が正方形又は長方形の４つの頂点に位置するように並べて配列され、前記ランス体が、４つの前記端子収容室のそれぞれに対応して設けられ、前記端子収容室の長手方向に延在し前記ハウジングの一端側が自由端となるように形成された４つの可撓ランスを一体に有し、４つの前記可撓ランスのそれぞれに、対応する前記端子収容室に収容された前記端子の前記大径部分と前記小径部分との段差に係止するように前記端子収容室の内部に突出する係止部が設けられるとともに、４つの前記可撓ランスのそれぞれが、前記端子収容室への前記端子の挿抜時に前記自由端が前記正方形又は前記長方形の対角線方向に撓んで前記係止部が前記段差に係止又は係止解除するように当該対角線上に配置されていることを特徴とするコネクタである。
また、請求項２に記載の発明は、円柱状又は円筒状に形成された大径部分と小径部分とが軸方向に連なる端子と、前記端子を複数収容するハウジングと、を備えるコネクタにおいて、前記ハウジングには、当該ハウジングの一端から他端へと延在し、当該他端側の開口から前記大径部分を先にして前記端子が挿入される端子収容室を４つ有する収容室群と、４つの前記端子収容室に囲まれるように配置されたランス体と、が設けられ、前記収容室群の４つの前記端子収容室のそれぞれが、互いに軸が平行でかつ軸方向から見たときに各軸が正方形又は長方形の４つの頂点に位置するように並べて配列され、前記ランス体が、４つの前記端子収容室のそれぞれに対応して設けられ、前記端子収容室の長手方向に延在し前記ハウジングの一端側が自由端となるように形成された４つの可撓ランスを一体に有し、４つの前記可撓ランスのそれぞれに、対応する前記端子収容室に収容された前記端子の前記大径部分と前記小径部分との段差に係止するように前記端子収容室の内部に突出する係止部が設けられるとともに、４つの前記可撓ランスのそれぞれが、前記端子収容室への前記端子の挿抜時に前記自由端が前記正方形又は前記長方形の対角線方向に撓んで前記係止部が前記段差に係止又は係止解除するように当該対角線上に配置され、前記収容室群が、複数群設けられており、複数群の前記収容室群のうちの一の収容室群と他の収容室群とが一方向に間隔を開けて対向して配置され、前記一の収容室群の端子収容室の軸と、前記他の収容室群の端子収容室の軸とが、前記一方向と直交する方向にズレていることを特徴とするコネクタである。
【０００９】
請求項３に記載の発明は、請求項１又は２に記載の発明において、前記可撓ランスの自由端が、前記段差よりも前記ハウジングの一端側へと延びて前記大径部分を前記対角線方向に支持することを特徴とする。
【００１０】
請求項３に記載の発明は、請求項１又は２に記載の発明において、前記収容室群が、複数群設けられており、複数群の前記収容室群のうちの一の収容室群と他の収容室群とが一方向に間隔を開けて対向して配置され、前記一の収容室群の端子収容室の軸と、前記他の収容室群の端子収容室の軸とが、前記一方向と直交する方向にズレていることを特徴とする。
【発明の効果】
【００１１】
請求項１及び請求項２に記載の発明によれば、上記ランス体において、正方形又は長方形の対角線方向に撓む４つの可撓ランスが一体に設けられている。これにより、上記収容室群においてランス体を囲む４つの端子収容室についてその対角線方向の間隔を縮めて縦横の２方向について間隔を縮めることができるのでハウジングを小型化することができ、その結果、コネクタの一層の小型化を図ることができる。
【００１２】
請求項２に記載の発明によれば、可撓ランスの自由端が上記段差よりも上記ハウジングの一端側へと延びている。このため、対角線方向に背合わせの位置関係にある２つの可撓ランスが撓むときには、それら２つの可撓ランスの間で、上記のように延びた自由端どうしが当接する。この当接により、可撓ランスの過大な撓みが抑えられることとなる。更に、このように延びた自由端が端子の大径部分を支持するので、例えば図９に示されているフロントホルダ５３０のように端子を支持するための別部材が不要となり、部品点数の削減も図られている。
【００１３】
請求項２に記載の発明によれば、一の収容室群の端子収容室の軸と、他の収容室群の端子収容室の軸とが、前記一方向（対向する方向）と直交する方向にズレているので、その一方向について両者間の間隔を縮めてコネクタの更なる小型化を図ることができる。
【００１４】
ここで、嵌合相手のコネクタとして、基板の縁に搭載され嵌合方向が基板面内方向となるタイプのコネクタを想定する。このようなタイプのコネクタの多くは、端子における嵌合側とは反対側が基板との接続ピンとなっている。接続ピンは、基板と平行に延び９０°曲がって基板へと至って基板に接続される。このとき、端子が格子点状に配列されていると仮定する。この場合、端子から延びる接続ピンが互いに平行に上記経路を辿って延びて基板に接続されるので、基板上での接続点も格子点状に配列され、その配列の分だけ基板上の面積が占有されることとなる。
【００１５】
これに対し、請求項２に記載の発明によれば、端子収容室の軸をずらす方向として、上記の基板に平行な横方向を採用することで、嵌合相手のコネクタにおいて端子を次のように配置することができる。即ち、上記一の収容室群の端子収容室と上記他の収容室群の端子収容室とのそれぞれに対応し、縦方向に間隔を開けて対向配置される端子を横方向にずらして配置することができる。このため、これらの端子から延びる接続ピンの基板上での接続点を、上記の縦方向の間隔をなくして横一列に並べて配置することができる。その結果、基板上の占有面積を狭めることが可能となる。
【図面の簡単な説明】
【００１６】
【図１】第一実施形態のコネクタを、ハウジングと丸端子とに分けて示す斜視図である。
【図２】図１中の領域Ａ１を、矢印Ｄ１方向に見たときの拡大正面図である。
【図３】ハウジングにおける図２中のＶ１−Ｖ１断面を、ハウジングに収容された丸端子とともに示す図である。
【図４】可撓ランスの構造によりハウジングの小型化が図られる様子を示す図である。
【図５】第二実施形態のコネクタのハウジングを、図４（ａ）にも示されている比較例のハウジングとともに示す図である。
【図６】第二実施形態のコネクタに嵌合する基板搭載タイプのコネクタを示す図である。
【図７】図６に示されている基板搭載タイプのコネクタを基板側から見た図である。
【図８】図６及び図７に示されている基板搭載タイプのコネクタによる基板上の占有スペースが、このコネクタに嵌合するコネクタにおける端子収容室の配列によって狭められる様子を示す図である。
【図９】従来のコネクタの構造の一例を示す図である。
【発明を実施するための形態】
【００１７】
本発明の第一実施形態にかかるコネクタを図１〜図４を参照して説明する。第一実施形態のコネクタ１００は、四角柱形状のハウジング１１０と、丸端子１２０（端子）と、を有している。図１には、本実施形態のコネクタ１００が、ハウジング１１０と丸端子１２０とに分かれた斜視図で示されている。図２には、図１中の領域Ａ１を、矢印Ｄ１方向に見たときの拡大正面図が示されている。そして、図３には、ハウジング１１０における図２中のＶ１−Ｖ１断面が、ハウジング１１０に収容された丸端子１２０とともに示されている。
【００１８】
図１及び図３に示されているように、丸端子１２０は、円筒状を有し一端１２０ａに不図示の相手方オス端子が嵌合し他端１２０ｂに電線１３０が接続されるメス端子である。また、丸端子１２０は、上記の一端１２０ａ側が大径部分１２１となり、他端１２０ｂ側が小径部分１２２となっている。
【００１９】
ハウジング１１０は、この丸端子１２０を１６個収容する。このハウジング１１０には、図３に示されているように、丸端子１２０を１個収容する端子収容室１１１が１６個設けられている。各端子収容室１１１は、ハウジング１１０の一端から他端へと延在し、相手方オス端子を嵌合するための嵌合口１１１ａが一端側に開口し、丸端子１２０を挿抜するための挿抜口１１１ｂが他端側に開口した筒状の収容室となっている。
【００２０】
ここで、このハウジング１１０では、端子収容室１１１が４つ、互いに軸１１１ｃが平行で、かつ軸１１１ｃ方向から見たときに各軸１１１ｃが正方形Ｓｑ１の４つの頂点に位置するように並べて配列されて収容室群１１２をなしている。ハウジング１１０には、このような収容室群１１２が４群設けられている。
【００２１】
また、図２及び図３に示されているように、各収容室群１１２において４つの端子収容室１１１で囲まれた領域に、各端子収容室１１１内の丸端子１２０の抜け止め用に４つの可撓ランス１１３を一体に有するランス体１１４が設けられている。各可撓ランス１１３は、正方形Ｓｑ１の中心側で端子収容室１１１に隣接して端子収容室１１１の長手方向に延在している。そして、端子収容室１１１の挿抜口１１１ｂ側が固定端１１３ａで嵌合口１１１ａ側が自由端１１３ｂとなっている。また、一部が端子収容室１１１の内部に突出する係止部１１３ｃとなっている。この係止部１１３ｃが、端子収容室１１１内の丸端子１２０における大径部分１２１と小径部分１２２との段差１２３に係止して抜け止めの役割を果たす。
【００２２】
４つの可撓ランス１１３それぞれは、端子収容室１１１に対する丸端子１２０の挿抜時には自由端１１３ｂが正方形Ｓｑ１の対角線方向に撓んで係止部１１３ｃが段差１２３に係止又は係止解除するようにその対角線上に配置されている。即ち、丸端子１２０の挿入時には、係止部１１３ｃが端子収容室１１１内から退避して大径部分１２１を通過させ、通過後に復位して段差１２３に係止する。丸端子１２０の抜き出し時には、係止部１１３ｃが端子収容室１１１内から退避して段差１２３への係止が解除される。
【００２３】
そして、本実施形態では、収容室群１１２をなす４つの端子収容室１１１に一対一に設けられた４つの可撓ランス１１３が、固定端１１３ａで一体に形成されている。これにより、４つの可撓ランス１１３からなるランス体１１４は、正方形Ｓｑ１の各頂点に向かって放射状に枝分かれし、各枝の先端が自由端１１３ｂとなった構造に形成されている。また、４つの可撓ランス１１３では、正方形Ｓｑ１の対角線上に自由端１１３ｂが並ぶ２つの可撓ランス１１３が、丸端子１２０の挿抜時に互いに近づく方向に撓む背合わせの位置関係となって対をなしている。
【００２４】
本実施形態によれば、ランス体１１４における４つの可撓ランス１１３の上記のような構造によりハウジング１１０の小型化が図られ、その結果、コネクタ１００が小型化されている。図４は、ランス体１１４における４つの可撓ランス１１３の構造によりハウジング１１０の小型化が図られる様子を示す図である。この図４では、本実施形態のハウジング１１０に対する比較例のハウジング６１０が図４（ａ）に示され、本実施形態のハウジング１１０が図４（ｂ）に示されている。
【００２５】
図４（ａ）に示されている比較例のハウジング６１０は、図９を参照して説明したように、図中縦方向に配列された２つの端子収容室６１１のそれぞれに隣接して設けられた２つの可撓ランス６１２が背合わせの位置関係で形成されたものである。この比較例のハウジング６１０では、図中縦方向については２つの可撓ランス６１２の背合わせでの形成により端子収容室６１１の相互の間隔が縮められている。一方、図中横方向については、可撓ランス６１２の設置のためのスペースＡｒ１が必要となり、端子収容室６１１の相互の間隔Ｗ１はこのスペースＡｒ１を間に挟んだ間隔となる。
【００２６】
これに対し、図４（ａ）に示されている本実施形態のハウジング１１０では、ランス体１１４が、収容室群１１２をなす４つの端子収容室１１１に囲まれるように設けられている。そして、ランス体１１４における４つの可撓ランス１１３が、正方形Ｓｑ１の対角線上の一対の可撓ランス１１３が背合わせに撓むように一体に形成されている。このため、本実施形態のハウジング１１０では、図中横方向について、図４（ａ）に示されているようなスペースＡｒ１が不要となる。また、４つの端子収容室１１１について正方形Ｓｑ１の対角線方向の間隔を縮めて縦横の２方向について間隔を縮めることができる。その結果、端子収容室１１１の相互の間隔Ｗ２は、図４（ａ）に示されている間隔Ｗ１よりも短縮される。このように、本実施形態によれば、収容室群１１２をなす４つの端子収容室１１１について縦横の２方向について相互の間隔を縮めることができるのでハウジング１１０を小型化することができ、コネクタ１００の一層の小型化を図ることができる。
【００２７】
また、本実施形態では、図３に示されているように、丸端子１２０の段差１２３に係止して抜け止めの役割を果たす係止部１１３ｃは、各可撓ランス１１３の延出方向について中央付近に設けられている。各可撓ランス１１３の自由端１１３ｂは、段差１２３よりも嵌合口１１１ａ側へと延びて丸端子１２０の大径部分１２１を正方形Ｓｑ１の対角線方向に支持する。
【００２８】
このため、対角線方向に背合わせの位置関係にある２つの可撓ランス１１３が撓むときには、それら２つの可撓ランス１１３の間で、上記のように延びた自由端１１３ｂどうしが当接する。この当接により、可撓ランス１１３の過大な撓みが抑えられることとなる。更に、このように延びた自由端１１３が、図３に示されているように丸端子１２０の大径部分１２１を支持するので、例えば図９に示されているフロントホルダ５３０のような別部材が不要となり、部品点数の削減も図られている。
【００２９】
次に、本発明の第二実施形態にかかるコネクタを図５〜図８を参照して説明する。第二実施形態のコネクタは、ハウジングにおける端子収容室１１１の配列を除いて第一実施形態のコネクタ１００と同等である。以下では、この第二実施形態のコネクタについて、この第一実施形態のコネクタ１００との相違点に注目して説明を行う。
【００３０】
図５は、第二実施形態のコネクタのハウジングを、図４（ａ）にも示されている比較例のハウジング６１０とともに示す図である。図５（ａ）には、比較例のハウジング６１０が示されており、図５（ｂ）には、第二実施形態のハウジング２１０が示されている。尚、図５では、図４に示されている構成要素と同等な構成要素については図４と同じ符号が付されており、以下では、これら同等な構成要素については重複説明を割愛する。
【００３１】
図５（ｂ）に示されているように、第二実施形態のハウジング２１０では、一の収容室群１１２と他の収容室群１１２とが図中縦方向に間隔を開けて対向して配置されている。そして、一の収容室群１１２の端子収容室１１１の軸１１１ｃ（図２参照）と他の収容室群１１２の端子収容室１１１の軸１１１ｃとが、対向方向と直交する図中横方向にズレている。これにより、中二段の端子収容室１１１が、群間を挟んで横方向に千鳥配列（一点鎖線Ｌ１）に並ぶように、収容室群１１２が設けられている。その結果、千鳥配列の幅方向（即ち、図中縦方向）について収容室群１１２の群間の間隔Ｗ５を次のように縮めることができる。
【００３２】
図５（ａ）に示されているように、比較例のハウジング６１０では、図中上方二段の端子収容室６１２と下方二段の端子収容室６１２との間隔Ｗ３が、縦方向に端子収容室６１２を分離しておくためのスペースＡｒ２を間に挟んだ間隔となっている。これに対し、第二実施形態のハウジング２１０では、中二段の端子収容室１１１が上記のように千鳥配列となっているので、図中上方二段の端子収容室１１１と下方二段の端子収容室１１１とが図中横方向にずれている。このため、第二実施形態のハウジング２１０では、上記のスペースＡｒ２を狭めることができ、千鳥配列の幅方向（図中縦方向）について収容室群１１２における群間の間隔Ｗ５が、図５（ａ）に示されている間隔Ｗ３よりも短縮される。第二実施形態のハウジング２１０でも、図中横方向について端子収容室１１１の相互の間隔Ｗ２が、図４（ａ）に示されている間隔Ｗ１よりも短縮されることは上述した第一実施形態と同様である。第二実施形態のハウジング２１０は、縦横双方について端子収容室１１１の間隔Ｗ２，Ｗ５が短縮されることで一層小型化することができ、その結果、コネクタの一層の小型化を図ることができる。
【００３３】
ここで、本実施形態では、嵌合相手のコネクタとして、次のような基板搭載タイプのコネクタを想定している。図６は、第二実施形態のコネクタに嵌合する基板搭載タイプのコネクタを示す図である。また、図７は、図６に示されている基板搭載タイプのコネクタを基板側から見た図である。図６及び図７に示されている基板搭載タイプのコネクタ７００には、図６に矢印Ｄ２で示されているように基板７５０の面内方向となる嵌合方向に第二実施形態のコネクタ２００が嵌合する。
【００３４】
この基板搭載タイプのコネクタ７００では、第二実施形態のコネクタ２００における丸端子１２０と嵌合するオス端子７１０の、嵌合側とは反対側が基板７５０との接続ピン７１１となっている。接続ピン７１１は、基板７５０と平行に延び９０°曲がって基板７５０へと至って基板７５０に接続される。その結果、基板７５０上は、この基板搭載タイプのコネクタ７００により、接続ピン７１１の接続に要するスペース分占有されることとなる。このとき、図５（ｂ）に示されているように、対向配置されている中二段の端子収容室１１１の軸１１１ｃが図中横方向にズレて千鳥配列となっている第二実施形態のコネクタ２００によれば、基板搭載タイプのコネクタ７００による基板７５０上の占有スペースを次のように狭めることができる。
【００３５】
図８は、図６及び図７に示されている基板搭載タイプのコネクタによる基板上の占有スペースが、このコネクタに嵌合するコネクタにおける端子収容室の配列によって狭められる様子を示す図である。図８（ａ）には、図５にも示されている比較例のハウジング６１０と、この比較例において必要となる基板７６０上の占有スペースＡｒ３が示されている。また、図８（ｂ）には、図５にも示されている第二実施形態のハウジング２１０と、基板７５０上の占有スペースＡｒ４が示されている。
【００３６】
図８（ａ）に示されているように端子収容室６１１が軸方向から見て格子点状に配列されていると、相手方となる基板搭載タイプのコネクタにおけるオス端子も格子点状に配列されることとなる。そして、それらのオス端子から延びる接続ピンが互いに平行に上記経路を辿って延びて基板７６０に接続されるので、基板７６０上での接続点７５１も格子点状に配列される。そして、基板７６０上では、その配列に応じた幅Ｗ６の占有スペースＡｒ３が占有されることとなる。
【００３７】
これに対し、第二実施形態のコネクタ２００では、図８（ｂ）に示されているように、端子収容室１１１をずらす方向として、嵌合相手のコネクタと嵌合したときの基板７５０に平行な横方向を採用している。その結果、この基板搭載タイプのコネクタ７００における横方向の端子配列を、図７に示されているように、第二実施形態における端子収容室１１１と同様に、対向配置されている中二段の端子を図中横方向にずらして千鳥配列とすることができる。この中二段の千鳥配列は、互いに対向する二列の直線配列であるが、上記の基板７５０上での接続点７５１の横方向の配列について、縦方向の間隔をなくして横一列に並べて配置することができる。その結果、基板７５０上の占有スペースＡｒ４の幅Ｗ７を、上記の比較例における占有スペースＡｒ３の幅Ｗ６の１／２に短縮することができる。その結果、第二実施形態によれば、基板７５０上の占有スペースＡｒ４を、比較例における占有スペースＡｒ３の１／２に狭めることが可能となっている。
【００３８】
尚、以上に説明した２つの実施形態は本発明の代表的な形態を示したに過ぎず、本発明は、この実施形態に限定されるものではない。即ち、本発明の骨子を逸脱しない範囲で種々変形して実施することができる。かかる変形によってもなお本発明のコネクタの構成を具備する限り、勿論、本発明の範疇に含まれるものである。
【００３９】
例えば、上記の２つの実施形態では、本発明にいうハウジングの一例として、いずれも、四角柱形状のハウジング１１０，２１０が例示されている。しかしながら、本発明にいうハウジングは、これに限るものではなく、四角柱形状以外の任意の形状を有するものであってもよい。
【００４０】
また、例えば、上記の２つの実施形態では、本発明にいうハウジングの一例として、いずれも、収容室群１１２が縦横に二列ずつ合計で４群設けられたハウジング１１０，２１０が例示されている。しかしながら、本発明にいうハウジングはこれに限るものではなく、収容室群が１群のみ設けられたものであってもよく、縦横に二列以外の列数で配列されて４群以外の複数群設けられたものであってもよい。
【００４１】
また、例えば、上記の２つの実施形態では、本発明にいう収容室群の一例として、いずれも、軸１１１ｃが正方形Ｓｑ１の頂点に位置するように４つの端子収容室１１１が並べて配列された収容室群１１２が例示されている。しかしながら、本発明にいう収容室群はこれに限るものではなく、軸が長方形の頂点に位置するように４つの端子収容室が並べて配列されたものであってもよい。
【符号の説明】
【００４２】
１００，２００    コネクタ
１１０，２１０    ハウジング
１１１      端子収容室
１１１ａ    嵌合口
１１１ｂ    挿抜口
１１２      収容室群
１１３      可撓ランス
１１３ａ    固定端
１１３ｂ    自由端
１１３ｃ    係止部
１１４      ランス体
１２０      丸端子（端子の一例）
１２１      大径部分
１２２      小径部分
１２３      段差
【図１】
0006359903.tif 000002
【図２】
0006359903.tif 000003
【図３】
0006359903.tif 000004
【図４】
0006359903.tif 000005
【図５】
0006359903.tif 000006
【図６】
0006359903.tif 000007
【図７】
0006359903.tif 000008
【図８】
0006359903.tif 000009
【図９】
0006359903.tif 000010